(57)【要約】【課題】ユーザーが服装を着用する状況に対応する色又は柄を含む服装の組み合わせを提案する。【解決手段】取得部は、ユーザーが服装を着用する状況を示す状況情報を取得する。決定部は、予め定められた複数の服装の中から、取得部により取得された状況情報により示される状況に対応する色又は柄を含む服装の組み合わせを決定する。出力部は、決定部により決定された組み合わせを含む複数の服装の組み合わせを出力する。【選択図】図１１
2018106593.tif 000002
【特許請求の範囲】
【請求項１】
ユーザーが服装を着用する状況を示す状況情報を取得する取得部と、
予め定められた複数の服装の中から、前記取得された状況情報により示される前記状況に対応する色又は柄を含む服装の組み合わせを決定する決定部と、
前記決定された組み合わせを含む複数の服装の組み合わせを出力する出力部と
を備えるコーディネートシステム。
【請求項２】
前記取得部は、更に、前記ユーザーにより選択されたスタイリストにより、前記予め定められた複数の服装の中から、前記状況に応じて決定された第１の服装の組み合わせを取得し、
前記決定部は、前記予め定められた複数の服装の中から、前記取得された第１の服装の組み合わせに類似する第２の服装の組み合わせを決定し、
前記出力部は、前記第１の服装の組み合わせと前記第２の服装の組み合わせとを出力する
請求項１に記載のコーディネートシステム。
【請求項３】
前記服装の組み合わせは、和服及び帯を含む
請求項１又は２に記載のコーディネートシステム。
【請求項４】
前記決定部は、前記服装が着用される状況と前記服装の色又は柄との関係を定めた規則に従って、前記服装の組み合わせを決定する
請求項１から３のいずれか１項に記載のコーディネートシステム。
【請求項５】
前記状況情報は、前記ユーザーが前記服装を着用する日を含み、
前記規則は、前記服装が着用される季節と前記服装の色の組み合わせとの関係を定めたものであり、
前記決定部は、前記規則に従って、前記日が属する季節に対応する色の組み合わせを含む服装の組み合わせを決定する
請求項４に記載のコーディネートシステム。
【請求項６】
前記状況情報は、前記ユーザーが前記服装を着用する日又は場所を含み、
前記決定部は、日又は方位と色との関係を定めた規則に従って、前記日又は前記場所に応じた方位に対応する色を含む服装の組み合わせを決定する
請求項１から３のいずれか１項に記載のコーディネートシステム。
【請求項７】
前記決定された服装の組み合わせを説明する説明情報を生成する生成部を更に備え、
前記出力部は、前記複数の服装の組み合わせとともに、前記生成された説明情報を出力する
請求項１から６のいずれか１項に記載のコーディネートシステム。
【請求項８】
ユーザーが服装を着用する状況を示す状況情報を取得する取得部と、
予め定められた複数の服装の中から、前記取得された状況情報により示される前記状況に対応する色又は柄を含む服装の組み合わせを決定する決定部と、
前記決定された組み合わせを含む複数の服装の組み合わせを出力する出力部と
を備えるコーディネート装置。
【請求項９】
コンピュータを、
ユーザーが服装を着用する状況を示す状況情報を取得するステップと、
予め定められた複数の服装の中から、前記取得された状況情報により示される前記状況に対応する色又は柄を含む服装の組み合わせを決定するステップと、
前記決定された組み合わせを含む複数の服装の組み合わせを出力するステップと
して実行させるためのプログラム。
【発明の詳細な説明】
【技術分野】
【０００１】
本発明は、服装をコーディネートする技術に関する。
【背景技術】
【０００２】
ユーザーに服装のコーディネートを提案する技術が知られている。例えば、特許文献１には、ユーザーがコーディネートを希望する第１の商品の色と、カジュアル等の感性語とに基づいて、第１の商品に対応する第２の商品を検索し、第１の商品の画像と第２の商品の画像とを含むコーディネート画像を出力する技術が記載されている。特許文献２には、スタイリストにより提案された複数の服装コーディネートの中から、ユーザーの好みとの一致度が高い服装コーディネートを決定し、ユーザーに提示する技術が記載されている。特許文献３には、ユーザーが保有する衣服の中から選定された一点の衣服に基づいて、所定のレコメンドアルゴリズムにより、残りのカテゴリーの衣服を選定し、その結果をユーザー端末に表示させる技術が記載されている。特許文献４には、ユーザーが着用した服装のログと、ユーザーにより入力された着たい服のカテゴリーと、ユーザーにより入力された目的地の環境情報（天候、気温、湿度等）とに基づいて、その日に適切な服を検索し、検索した服装の組み合わせを表示する技術が記載されている。
【先行技術文献】
【特許文献】
【０００３】
【特許文献１】特開２０１６−０７１６０９号公報
【特許文献２】特開２０１６−０４５６６９号公報
【特許文献３】特開２０１３−１９６５５３号公報
【特許文献４】特開２０１４−０１３４６０号公報
【発明の概要】
【発明が解決しようとする課題】
【０００４】
特に和服の場合、日本の伝統的なしきたり、礼法等の決まりや、古代からの思想に基づいて服装のコーディネートが行われる場合がある。このような決まりや思想では、服装が着用される状況に応じて、好ましい色や柄が定められている。したがって、和服のコーディネートにおいては、ユーザーが服装を着用する状況に対応する色や柄を用いることが要求される場合がある。しかし、特許文献１〜４に記載の技術は、いずれも洋服のコーディネートを前提としており、ユーザーが服装を着用する状況に対応する色や柄を用いるという概念がない。
本発明は、ユーザーが服装を着用する状況に対応する色又は柄を含む服装の組み合わせを提案することを目的とする。
【課題を解決するための手段】
【０００５】
本発明は、ユーザーが服装を着用する状況を示す状況情報を取得する取得部と、予め定められた複数の服装の中から、前記取得された状況情報により示される前記状況に対応する色又は柄を含む服装の組み合わせを決定する決定部と、前記決定された組み合わせを含む複数の服装の組み合わせを出力する出力部とを備えるコーディネートシステムを提供する。
【０００６】
前記取得部は、更に、前記ユーザーにより選択されたスタイリストにより、前記予め定められた複数の服装の中から、前記状況に応じて決定された第１の服装の組み合わせを取得し、前記決定部は、前記予め定められた複数の服装の中から、前記取得された第１の服装の組み合わせに類似する第２の服装の組み合わせを決定し、前記出力部は、前記第１の服装の組み合わせと前記第２の服装の組み合わせとを出力してもよい。
【０００７】
前記服装の組み合わせは、和服及び帯を含んでもよい。
【０００８】
前記決定部は、前記服装が着用される状況と前記服装の前記色又は前記柄との関係を定めた規則に従って、前記服装の組み合わせを決定してもよい。
【０００９】
前記状況情報は、前記ユーザーが前記服装を着用する日を含み、前記規則は、前記服装が着用される季節と前記服装の色の組み合わせとの関係を定めたものであり、前記決定部は、前記規則に従って、前記日が属する季節に対応する色の組み合わせを含む服装の組み合わせを決定してもよい。
【００１０】
前記状況情報は、前記ユーザーが前記服装を着用する日又は場所を含み、前記決定部は、日又は方位と色との関係を定めた規則に従って、前記日又は前記場所に応じた方位に対応する色を含む服装の組み合わせを決定してもよい。
【００１１】
前記決定された服装の組み合わせを説明する説明情報を生成する生成部を更に備え、前記出力部は、前記複数の服装の組み合わせとともに、前記生成された説明情報を出力してもよい。
【００１２】
また、本発明は、ユーザーが服装を着用する状況を示す状況情報を取得する取得部と、予め定められた複数の服装の中から、前記取得された状況情報により示される前記状況に対応する色又は柄を含む服装の組み合わせを決定する決定部と、前記決定された組み合わせを含む複数の服装の組み合わせを出力する出力部とを備えるコーディネート装置を提供する。
【００１３】
さらに、本発明は、コンピュータを、ユーザーが服装を着用する状況を示す状況情報を取得するステップと、予め定められた複数の服装の中から、前記取得された状況情報により示される前記状況に対応する色又は柄を含む服装の組み合わせを決定するステップと、前記決定された組み合わせを含む複数の服装の組み合わせを出力するステップとして実行させるためのプログラムを提供する。
【発明の効果】
【００１４】
本発明によれば、ユーザーが服装を着用する状況に対応する色又は柄を含む服装の組み合わせを提案することができる。
【図面の簡単な説明】
【００１５】
【図１】コーディネートシステム１の一例を示す図。
【図２】サーバー装置１０のハードウェア構成の一例を示す図。
【図３】ユーザーデータベース１０１の一例を示す図。
【図４】服装データベース１０２の一例を示す図。
【図５】ユーザー端末２０のハードウェア構成の一例を示す図。
【図６】スタイリスト端末３０のハードウェア構成の一例を示す図。
【図７】コーディネートシステム１の機能構成の一例を示す図。
【図８】コーディネートシステム１の動作の一例を示すシーケンスチャート。
【図９】スタイリストの一覧画面１４０の一例を示す図。
【図１０】入力画面１５０の一例を示す図。
【図１１】コーディネートの提案画面１６０の一例を示す図。
【発明を実施するための形態】
【００１６】
図１は、本実施形態に係るコーディネートシステム１の一例を示す図である。コーディネートシステム１は、ユーザーに服装のコーディネートを提案する。このコーディネートとは、服装の組み合わせをいう。この提案は、例えばユーザーが着物をレンタルするときに行われる。なお、以下の説明において、「着物」とは和服のことをいう。
【００１７】
コーディネートシステム１は、サーバー装置１０と、複数のユーザー端末２０と、複数のスタイリスト端末３０とを備える。これらのサーバー装置１０、ユーザー端末２０、及びスタイリスト端末３０は、インターネット等の通信回線２を介して接続される。ただし、通信回線２は、インターネットに限定されず、インターネットと他の通信回線との組み合わせであってもよいし、インターネット以外の通信回線であってもよい。
【００１８】
図２は、サーバー装置１０のハードウェア構成の一例を示す図である。サーバー装置１０は、例えば着物のレンタルサービスの運営者により管理される。サーバー装置１０は、ユーザーからの要求に応じて、服装のコーディネートを決定し、ユーザーに提供する。サーバー装置１０は、プロセッサー１１と、メモリー１２と、通信インタフェース１３と、ストレージ１４とを備える。これらの構成は、バス１５を介して接続される。
【００１９】
プロセッサー１１は、プログラムをメモリー１２に読み出して実行することにより、サーバー装置１０の各部を制御するとともに、各種の処理を行う。プロセッサー１１としては、例えばＣＰＵ（Central Processing Unit）が用いられる。メモリー１２は、プロセッサー１１により実行されるプログラムを記憶する。メモリー１２としては、例えばＲＯＭ（Read Only Memory）及びＲＡＭ（Random Access Memory）が用いられる。
【００２０】
通信インタフェース１３は、通信回線２に接続され、所定の通信規格に従ってデータ通信を行う。ストレージ１４は、各種のデータ及びプログラムを記憶する。ストレージ１４としては、例えばハードディスク又はフラッシュメモリーが用いられる。ストレージ１４には、ユーザーデータベース１０１と、服装データベース１０２とが記憶される。
【００２１】
図３は、ユーザーデータベース１０１の一例を示す図である。ユーザーデータベース１０１には、コーディネートシステム１を利用するユーザーに関する情報が格納される。この例では、ユーザーデータベース１０１には、ユーザーＩＤと、個人情報と、属性情報とが対応付けて格納される。これらの情報は、例えばユーザーにより予め登録される。
【００２２】
ユーザーＩＤは、ユーザーを一意に識別する情報である。個人情報は、ユーザーの自宅や連絡先等の私的事項を特定する情報である。個人情報には、例えばユーザー住所や電話番号、生年月日が含まれる。属性情報は、ユーザーの服装に関する属性を示す情報である。この属性情報には、例えばユーザーの性別や服装のサイズが含まれる。
【００２３】
図４は、服装データベース１０２の一例を示す図である。服装データベース１０２には、予め定められた服装アイテムに関する情報が格納される。この服装アイテムは、例えば着物のレンタルサービスにおいてレンタルされるものである。服装データベース１０２には、アイテムＩＤと、カテゴリーと、サイズと、特徴情報と、画像データと、在庫情報とが対応付けて格納される。これらの情報は、例えば着物のレンタルサービスを運営する運営者により予め登録される。
【００２４】
アイテムＩＤは、服装アイテムを一意に識別する情報である。カテゴリーは、着物のコーディネートを構成する服装アイテムの区別に用いられる。例えば、着物のコーディネートが着物と帯との組み合わせにより構成される場合には、「着物」及び「帯」というカテゴリーが用いられる。サイズは、服装アイテムの大きさを示す。このサイズとしては、Ｓ、Ｍ、Ｌ等のユーザーの体型を示す情報が用いられてもよいし、身丈等の服装アイテムの寸法を示す情報が用いられてもよい。
【００２５】
特徴情報は、服装アイテムの特徴を示す情報である。この特徴情報には、例えば服装アイテムの色、柄、素材、生地の産地、及び種類が含まれる。この種類は、服装アイテムの素材や仕立てによる区分に用いられる。例えば服装アイテムが着物である場合、この種類としては、袷、単衣、夏物等の種類が用いられてもよい。画像データは、服装アイテムの画像を示す情報である。この画像としては、例えば服装アイテムの撮影された画像が用いられてもよい。
【００２６】
在庫情報は、服装アイテムの在庫の状況を示す情報である。在庫情報「あり」は、服装アイテムの在庫があることを示す。すなわち、在庫情報「あり」は、服装アイテムがレンタル可能であることを示す。一方、在庫情報「なし」は、服装アイテムの在庫がないことを示す。この場合、在庫情報には服装アイテムの貸し出し期間が含まれてもよい。すなわち、在庫情報「なし」は、貸し出し期間において、服装アイテムがレンタルできないことを示す。
【００２７】
なお、以下の説明では、服装データベース１０２に格納されたアイテムＩＤにより識別される服装アイテムを、「服装データベース１０２に登録された服装アイテム」という。
【００２８】
図５は、ユーザー端末２０のハードウェア構成の一例を示す図である。ユーザー端末２０は、ユーザーにより用いられる。ユーザー端末２０としては、例えばパーソナルコンピューター、タブレット端末、スマートフォン等の装置が用いられる。ユーザー端末２０は、プロセッサー２１と、メモリー２２と、通信インタフェース２３と、ストレージ２４と、入力デバイス２５と、表示デバイス２６とを備える。これらの構成は、バス２７を介して接続される。
【００２９】
プロセッサー２１は、プログラムをメモリー２２に読み出して実行することにより、ユーザー端末２０の各部を制御するとともに、各種の処理を行う。プロセッサー２１としては、例えばＣＰＵが用いられる。メモリー２２は、プロセッサー２１により実行されるプログラムを記憶する。メモリー２２としては、例えばＲＯＭ及びＲＡＭが用いられる。
【００３０】
通信インタフェース２３は、通信回線２に接続され、所定の通信規格に従ってデータ通信を行う。ストレージ２４は、各種のデータ及びプログラムを記憶する。ストレージ２４としては、例えばハードディスク又はフラッシュメモリーが用いられる。
【００３１】
入力デバイス２５は、情報の入力に用いられる。入力デバイス２５としては、例えばキーボード及びマウス、物理ボタン、又はタッチセンサーが用いられる。このタッチセンサーは、表示デバイス２６との組み合わせによりタッチパネルを構成する。表示デバイス２６は、各種の情報を表示する。表示デバイス２６としては、例えば液晶ディスプレイが用いられる。
【００３２】
図６は、スタイリスト端末３０のハードウェア構成の一例を示す図である。スタイリスト端末３０は、服装をコーディネートするスタイリストにより用いられる。スタイリスト端末３０としては、例えばパーソナルコンピューター、タブレット端末、スマートフォン等の装置が用いられる。スタイリスト端末３０は、プロセッサー３１と、メモリー３２と、通信インタフェース３３と、ストレージ３４と、入力デバイス３５と、表示デバイス３６とを備える。これらの構成は、バス３７を介して接続される。
【００３３】
プロセッサー３１は、プログラムをメモリー３２に読み出して実行することにより、スタイリスト端末３０の各部を制御するとともに、各種の処理を行う。プロセッサー３１としては、例えばＣＰＵが用いられる。メモリー３２は、プロセッサー３１により実行されるプログラムを記憶する。メモリー３２としては、例えばＲＯＭ及びＲＡＭが用いられる。
【００３４】
通信インタフェース３３は、通信回線２に接続され、所定の通信規格に従ってデータ通信を行う。ストレージ３４は、各種のデータ及びプログラムを記憶する。ストレージ３４としては、例えばハードディスク又はフラッシュメモリーが用いられる。
【００３５】
入力デバイス３５は、情報の入力に用いられる。入力デバイス３５としては、例えばキーボード及びマウス、物理ボタン、又はタッチセンサーが用いられる。このタッチセンサーは、表示デバイス３６との組み合わせによりタッチパネルを構成する。表示デバイス３６は、各種の情報を表示する。表示デバイス３６としては、例えば液晶ディスプレイが用いられる。
【００３６】
図７は、コーディネートシステム１の機能構成の一例を示す図である。コーディネートシステム１は、取得部１１１と、決定部１１２と、生成部１１３と、出力部１１４と、送信部１２１と、受信部１２２と、表示制御部１２３と、受信部１３１と、表示制御部１３２と、送信部１３３として機能する。この例では、取得部１１１、決定部１１２、生成部１１３、及び出力部１１４は、サーバー装置１０に実装される。この場合、サーバー装置１０は、コーディネート装置として機能する。送信部１２１、受信部１２２、及び表示制御部１２３は、ユーザー端末２０に実装される。受信部１３１、表示制御部１３２、及び送信部１３３は、スタイリスト端末３０に実装される。
【００３７】
取得部１１１は、プロセッサー１１と、プロセッサー１１により実行されるプログラムと、通信インタフェース１３との組み合わせにより実現される。取得部１１１は、ユーザーが服装を着用する状況を示す状況情報を取得する。この「服装」という用語の概念には、着物及び帯が含まれる。この「取得」という用語の概念には、受信が含まれる。
【００３８】
決定部１１２は、プロセッサー１１と、プロセッサー１１により実行されるプログラムとにより実現される。決定部１１２は、予め定められた複数の服装の中から、取得部１１１により取得された状況情報により示される状況に対応する色又は柄を含む服装のコーディネートを決定する。この予め定められた服装とは、例えば服装データベース１０２に登録された服装アイテムである。
【００３９】
また、決定部１１２は、ユーザーデータベース１０１や服装データベース１０２を参照して、服装のコーディネートを決定してもよい。このコーディネートは、着物のしきたりや礼法等の決まりに基づいて作成された規則に従って決定されてもよい。この決まりには、日本の伝統的な配色法である、かさねの色目が含まれる。また、このコーディネートは、風水や陰陽五行等の所定の思想に基づいて作成された規則に従って決定されてもよい。これらの規則は、予めストレージ１４に記憶されてもよい。
【００４０】
生成部１１３は、プロセッサー１１と、プロセッサー１１により実行されるプログラムとにより実現される。生成部１１３は、決定部１１２により決定された服装のコーディネートを説明する説明情報を生成する。
【００４１】
出力部１１４は、プロセッサー１１と、プロセッサー１１により実行されるプログラムと、通信インタフェース１３との組み合わせにより実現される。出力部１１４は、決定部１１２により決定されたコーディネートを含む複数の服装のコーディネートを出力する。この「出力」という用語の概念には、送信が含まれる。また、出力部１１４は、複数のコーディネートとともに、生成部１１３により生成された説明情報を出力してもよい。
【００４２】
送信部１２１は、プロセッサー２１と、プロセッサー２１により実行されるプログラムと、通信インタフェース２３との組み合わせにより実現される。送信部１２１は、各種の情報をサーバー装置１０に送信する。
【００４３】
受信部１２２は、プロセッサー２１と、プロセッサー２１により実行されるプログラムと、通信インタフェース２３との組み合わせにより実現される。受信部１２２は、各種の情報をサーバー装置１０から受信する。
【００４４】
表示制御部１２３は、プロセッサー２１と、プロセッサー２１により実行されるプログラムとの組み合わせにより実現される。表示制御部１２３は、表示デバイス２６に各種の画面を表示させる。
【００４５】
受信部１３１は、プロセッサー３１と、プロセッサー３１により実行されるプログラムと、通信インタフェース３３との組み合わせにより実現される。受信部１３１は、サーバー装置１０から各種の情報を受信する。
【００４６】
表示制御部１３２は、プロセッサー３１と、プロセッサー３１により実行されるプログラムとの組み合わせにより実現される。表示制御部１３２は、表示デバイス３６に各種の画面を表示させる。
【００４７】
送信部１３３は、プロセッサー３１と、プロセッサー３１により実行されるプログラムと、通信インタフェース３３との組み合わせにより実現される。送信部１３３は、サーバー装置１０に各種の情報を送信する。
【００４８】
図８は、コーディネートシステム１の動作の一例を示すシーケンスチャートである。ここでは、ユーザーがレンタルする着物のコーディネートを依頼する場合を想定する。この場合、ユーザーは、入力デバイス２５を用いて、コーディネートを依頼する操作を行う。
【００４９】
ステップＳ１０１において、送信部１２１は、この操作に応じて、コーディネートを依頼するメッセージをサーバー装置１０に送信する。サーバー装置１０において、取得部１１１は、このメッセージを受信する。
【００５０】
ステップＳ１０２において、出力部１１４は、このメッセージを受信すると、スタイリストの一覧画面１４０の表示に用いられる画面情報をユーザー端末２０に送信する。この一覧画面１４０は、予め生成されていてもよい。この画面情報には、画面を構成する情報、画像、又はプログラムが含まれてもよい。ユーザー端末２０において、受信部１２２は、この画面情報を受信する。
【００５１】
ステップＳ１０３において、表示制御部１２３は、受信された画面情報に基づいて、スタイリストの一覧画面１４０を表示デバイス２６に表示させる。
【００５２】
図９は、スタイリストの一覧画面１４０の一例を示す図である。この一覧画面１４０には、予め登録された複数のスタイリストに関する情報が記載される。この情報には、各スタイリストの氏名の他、各スタイリストが今までに行った着物のコーディネートの一覧が含まれる。スタイリストの一覧画面１４０は、これらのスタイリストの中からスタイリストを選択する操作を受け付ける。ここでは、ユーザーがスタイリストＸを選択する場合を想定する。この場合、ユーザーは、入力デバイス２５を用いて、スタイリストＸを選択する操作を行う。
【００５３】
ステップＳ１０４において、表示制御部１２３は、入力画面１５０を表示デバイス２６に表示させる。なお、この入力画面１５０は、上述したスタイリストの一覧画面１４０と同様に、サーバー装置１０から提供されてもよい。すなわち、サーバー装置１０から入力画面１５０の表示に用いられる画面情報がユーザー端末２０に送信され、この画面情報に基づいて表示されてもよい。
【００５４】
図１０は、入力画面１５０の一例を示す図である。入力画面１５０は、ユーザーが着物を着用する状況を示す状況情報と、コーディネートの要望を示す要望情報とを入力する操作とを受け付ける。この状況情報には、ユーザーが着物を着用する日時、場所、及び目的が含まれる。なお、この日時には、日付と時間の両方が含まれてもよいし、日付だけが含まれてもよい。要望情報には、ユーザーが希望するコーディネートの具体的な色や柄が含まれていてもよいし、抽象的なイメージが含まれていてもよい。
【００５５】
ここでは、ユーザーが４月２日にレンタルした着物を着てＡ町に行き、お茶席に出席する場合を想定する。この場合、ユーザーは、入力デバイス２５を用いて、日時「４月２日」、場所「Ａ町」、及び目的「お茶席への出席」という情報を入力する操作を行う。また、ユーザーは、青を基調としたコーディネートを希望する場合を想定する。この場合、ユーザーは、入力デバイス２５を用いて、「青を基調としたコーディネート」という要望情報を入力する操作を行う。
【００５６】
図８に戻り、ステップＳ１０５において、送信部１２１は、コーディネートの依頼情報をサーバー装置１０に送信する。この依頼情報には、ユーザーに付与されたユーザーＩＤとともに、一覧画面１４０において選択されたスタイリストＸの識別情報と、入力画面１５０において入力された状況情報及び要望情報とが含まれる。ここでは、このユーザーＩＤが「Ｕ００１」である場合を想定する。サーバー装置１０において、取得部１１１は、この依頼情報を受信する。
【００５７】
ステップＳ１０６において、出力部１１４は、受信された依頼情報をスタイリストＸが使用するスタイリスト端末３０に送信する。このスタイリストＸは、依頼情報に含まれる識別情報により識別される。スタイリスト端末３０において、受信部１３１は、この依頼情報を受信する。
【００５８】
ステップＳ１０７において、表示制御部１３２は、受信された依頼情報を表示デバイス３６に表示させる。スタイリストＸは、表示された依頼情報を参照して、ユーザーの要望に沿って、ユーザーが着物を着用する状況に応じたコーディネートを行う。このコーディネートは、着物のしきたりや礼法等の決まりに基づいて行われてもよいし、風水や陰陽五行等の思想に基づいて行われてもよい。あるいは、このコーディネートは、これらの決まりや思想とは無関係に行われてもよい。
【００５９】
具体的には、スタイリストＸは、スタイリスト端末３０を用いてユーザーデータベース１０１及び服装データベース１０２にアクセスする。スタイリストＸは、ユーザーデータベース１０１及び服装データベース１０２の内容を参照して、服装データベース１０２に登録された着物及び帯の中から、一式の着物のコーディネートを決定する。この例では、スタイリストＸにより、桜の柄の着物を含むコーディネートが決定された場合を想定する。
【００６０】
また、スタイリストＸは、決定されたコーディネートを説明する説明情報を生成する。この説明情報には、コーディネートのポイントに加えて、コーディネートの根拠となる決まりや思想が含まれてもよい。この例では、春のお茶席に相応しいように、桜の柄の着物を使った旨を説明する説明情報が生成された場合を想定する。
【００６１】
続いて、スタイリストＸは、入力デバイス３５を用いて、決定されたコーディネートを示すコーディネート情報と、生成された説明情報とを入力する操作を行う。このコーディネート情報には、例えばコーディネートを構成する着物及び帯のアイテムＩＤが含まれる。
【００６２】
ステップＳ１０８において、送信部１３３は、入力されたコーディネート情報及び説明情報をサーバー装置１０に送信する。サーバー装置１０において、取得部１１１は、このコーディネート情報及び説明情報を受信する。
【００６３】
ステップＳ１０９において、決定部１１２は、所定のアルゴリズムに従って、服装データベース１０２に登録された着物及び帯の中から、受信されたコーディネート情報により示されるコーディネート（以下、「メインコーディネート」という。）に類似するコーディネート（以下、「サブコーディネート」という。）を決定する。このサブコーディネートは、メインコーディネートと色又は柄が類似するコーディネートである。すなわち、サブコーディネートは、メインコーディネートと色又は柄のいずれかが類似するコーディネートであってもよいし、色及び柄の両方が類似するコーディネートであってもよい。この例では、メインコーディネートと色及び柄の両方が類似するものをサブコーディネートとする。
【００６４】
決定部１１２は、まず服装データベース１０２に登録された着物及び帯から、ユーザーの着用に適したレンタル可能な着物及び帯を抽出する。この例では、ユーザーの着用に適した着物及び帯とは、ユーザーに適したサイズであり、且つ、ユーザーが着用する季節に適した種類であるものをいう。また、レンタル可能な着物及び帯とは、ユーザーが着用する日にレンタルできるものをいう。
【００６５】
この例では、上述したステップＳ１０５において受信された依頼情報には、ユーザーＩＤ「Ｕ００１」が含まれる。図３に示すように、ユーザーデータベース１０１には、ユーザーＩＤ「Ｕ００１」と対応付けてサイズ「Ｍ」が格納されている。これは、ユーザーの服装のサイズがＭであることを示す。この場合、ユーザーに適したサイズはＭになる。
【００６６】
また、上述したステップＳ１０５において受信された依頼情報には、日時「４月２日」が含まれる。この日は、春に属する。これは、ユーザーが春に着物を着用することを示す。着物のしきたりによれば、春に適した着物の種類は袷である。よって、ユーザーが着用する季節に適した種類は、袷である。
【００６７】
また、上述した日時「４月２日」は、ユーザーが４月２日に着物をレンタルすることを示す。図４に示す服装データベース１０２において、在庫情報が「あり」である場合には、４月２日にレンタルが可能であることを示す。また、在庫情報が「なし」であっても、貸し出し期間に４月２日が含まれない場合には、４月２日にレンタルが可能であることを示す。
【００６８】
この場合、決定部１１２は、服装データベース１０２から、サイズ「Ｍ」と、種類「袷」と、在庫情報「あり」又は在庫情報「なし」及び４月２日を含まない貸し出し期間のセットとを含むレコードを抽出する。これにより、ユーザーの着用に適したレンタル可能な着物及び帯に関する情報が抽出される。以下の説明では、この着物及び帯を「対象の着物及び帯」という。
【００６９】
続いて、決定部１１２は、対象の着物及び帯を用いて、着物と帯との全ての組み合わせを生成する。以下の説明では、この組み合わせを「サブコーディネート候補」という。続いて、決定部１１２は、メインコーディネートとサブコーディネート候補との色及び柄の類似度を算出する。なお、以下の説明では、メインコーディネートの色とサブコーディネート候補の色とを「比較対象の色」といい、メインコーディネートの柄とサブコーディネート候補の柄とを「比較対象の柄」という。
【００７０】
色の類似度は、比較対象の色が類似する度合いを示す値である。例えば、比較対象の色を表す値（ＲＧＢ値、色相、明度、彩度等）が近い程、類似度が高くなってもよい。他の例において、比較対象の色のヒストグラムの形状が近い程、類似度が高くなってもよい。
【００７１】
柄の類似度は、比較対象の柄が形状的又は観念的に類似する度合いを示す値である。例えば、比較対象の柄の形状が近い程、類似度が高くなってもよい。他の例において、比較対象の柄のモチーフが同一である場合には、比較対象の柄のモチーフが異なる場合に比べて、類似度が高くなってもよい。この例では、メインコーディネートに桜の柄が含まれる。この場合、桜をモチーフとした柄のサブコーディネート候補の類似度は、他のサブコーディネート候補の類似度より高くなってもよい。
【００７２】
他の例において、比較対象の柄が同一のカテゴリーに属する場合には、比較対象の柄が異なるカテゴリーに属する場合に比べて、類似度が高くなってもよい。この例では、メインコーディネートに、桜の柄が含まれる。桜は、花というカテゴリーに属する。この場合、花というカテゴリーに属する柄のサブコーディネート候補の類似度は、他のサブコーディネート候補の類似度より高くなってもよい。
【００７３】
上述した色の類似度と柄の類似度とを加算することにより、色及び柄の類似度が算出される。なお、メインコーディネートと色が類似するものをサブコーディネートとする場合には、色の類似度だけが用いられてもよい。一方、メインコーディネートと柄が類似するものをサブコーディネートとする場合には、柄の類似度だけが用いられてもよい。
【００７４】
続いて、決定部１１２は、ユーザーにより選択されたスタイリストＸのコーディネートの傾向に基づいて、算出された類似度に重み付けを行う。このコーディネートの傾向は、スタイリストＸが今までに行ったコーディネートに基づいて予め特定されてもよい。例えば、スタイリストＸが明るい色を基調としたコーディネートを行う傾向がある場合には、明るい色を含むサブコーディネート候補の類似度に重み係数（正の値）が付加されてもよい。
【００７５】
そして、決定部１１２は、類似度が高い所定数のサブコーディネート候補を、サブコーディネートとして決定する。ここでは、所定数が一つである場合を想定する。この場合、類似度が最も高いサブコーディネート候補が、サブコーディネートとして決定される。なお、色及び柄の両方が同一であるものは、メインコーディネートと全く同じであると考えられるため、サブコーディネート候補から除外されるのが好ましい。
【００７６】
ステップＳ１１０において、決定部１１２は、種々の観点により、対象の着物及び帯の中から、ユーザーが着物を着用する状況に対応する他のコーディネートを決定する。この例では、他のコーディネートは、かさねの色目の観点、風水の観点、及び現在の流行の観点により決定される。
【００７７】
例えば、決定部１１２は、かさねの色目に基づいて作成された規則に従って、他のコーディネートを決定してもよい。この規則には、着物が着用される季節と着物の色の組み合わせとの関係が定められている。まず、決定部１１２は、この規則に従って、ユーザーが着物を着用する季節に対応する色の組み合わせを決定する。続いて、決定部１１２は、対象の着物及び帯の中から、この色の組み合わせ含むコーディネートを決定する。
【００７８】
この例では、上述したステップＳ１０５において受信された状況情報には、日時「４月２日」が含まれる。この日は、春に属する。これは、ユーザーが春に着物を着用することを示す。かさねの色目においては、春の色の組み合わせの一つとして、桜を表す白と赤との組み合わせが定められている。この場合、白と赤との組み合わせを含むコーディネートが決定されてもよい。
【００７９】
また、決定部１１２は、風水に基づいて作成された規則に従って、他のコーディネートを決定してもよい。この規則には、日及び方位と色との関係が定められている。まず、決定部１１２は、この規則に従って、ユーザーが着物を着用する状況において身に着けた方がよい色を決定する。続いて、決定部１１２は、対象の着物及び帯の中から、この色を含むコーディネートを決定する。
【００８０】
この例では、上述したステップＳ１０５において受信された状況情報には、日時「４月２日」及び場所「Ａ町」が含まれる。また、この状況情報には、ユーザーＩＤ「Ｕ００１」が含まれる。図３に示すように、ユーザーデータベース１０１には、ユーザーＩＤ「Ｕ００１」と対応付けて住所「東京都・・・」が格納されている。これは、ユーザーが４月２日に着物を着用してこの住所により示される場所からＡ町に出かけることを示す。ここでは、この住所により示される場所からＡ町に向かう方位が西である場合を想定する。この場合、風水において、４月２日に西方位に出かけるときに身に着けた方がよいとされる色が決定される。ここでは、この色が赤色である場合を想定する。この場合、赤色を含むコーディネートが決定されてもよい。なお、このコーディネートは、全体的に赤色を基調とするものであってもよいし、着物又は帯の一部に赤色が含まれるものであってもよい。
【００８１】
さらに、決定部１１２は、ユーザーが着物を着用する場所における現在の流行に基づいて、他のコーディネートを決定してもよい。この例では、上述したステップＳ１０５において受信された状況情報には、場所「Ａ町」が含まれる。これは、ユーザーが着物を着用してＡ町に出かけることを示す。ここでは、Ａ町では、現在、丈の短い着物が流行している場合を想定する。この場合、対象の着物及び帯の中から、丈の短い着物を含むコーディネートが決定されてもよい。
【００８２】
ステップＳ１１１において、生成部１１３は、ステップＳ１０９及びＳ１１０において決定された各コーディネートについて、そのコーディネートを説明する説明情報を生成する。例えば、ステップＳ１０９において決定されたサブコーディネートの説明情報は、上述したステップＳ１０８において受信されたメインコーディネートの説明情報の少なくとも一部を用いて生成されてもよい。例えば、サブコーディネートにメインコーディネートと同様の桜の柄の着物が含まれる場合には、メインコーディネートの説明情報においてこれを説明する部分、すなわち春のお茶席に相応しいように、桜の柄の着物を使った旨を説明する部分が含まれてもよい。
【００８３】
また、ステップＳ１１０において決定された他のコーディネートの説明情報には、例えばそのコーディネートの根拠となる決まり、思想、又は流行を説明する情報が含まれてもよい。例えば、かさねの色目の観点から決定されたコーディネートの説明情報には、かさねの色目においては、桜を表す白と赤との組み合わせが春の色の組み合わせの一つとされている旨を説明する情報が含まれてもよい。また、風水の観点から決定されたコーディネートの説明情報には、風水においては、４月２日に西方位に出かける場合には赤色のものを身に着けた方がよいとされている旨を説明する情報が含まれてもよい。さらに、流行の観点から決定されたコーディネートの説明情報には、Ａ町においては、現在丈の短い着物が流行している旨を説明する情報が含まれてもよい。
【００８４】
ステップＳ１１２において、生成部１１３は、コーディネートの提案画面１６０を生成する。
図１１は、コーディネートの提案画面１６０の一例を示す図である。この提案画面１６０には、上述したステップＳ１０８において受信されたコーディネート情報により示されるメインコーディネートを示す画像１６１と、上述したステップＳ１０９において決定されたサブコーディネートを示す画像１６２と、上述したステップＳ１１０において決定された他のコーディネートを示す画像１６３〜１６５とが記載される。これらの画像１６１〜１６５は、例えば服装データベース１０２に格納された各コーディネートを構成する着物及び帯の画像データを用いて生成される。具体的には、各コーディネートを示す画像は、このコーディネートを構成する着物の画像データ及び帯の画像データを用いて、着物の画像の上に、帯の画像を合成することにより生成されてもよい。また、提案画面１６０には、これらの画像１６１〜１６５とともに、上述したステップＳ１１１において生成された説明情報が記載される。
【００８５】
ステップＳ１１３において、出力部１１４は、生成されたコーディネートの提案画面１６０の表示に用いられる画面情報をユーザー端末２０に送信する。ユーザー端末２０において、受信部１２２は、この画面情報を受信する。
【００８６】
ステップＳ１１４において、表示制御部１２３は、受信された画面情報に応じたコーディネートの提案画面１６０を表示デバイス２６に表示させる。図１１に示すように、この提案画面１６０には、複数のコーディネートを示す画像１６１〜１６５が記載されている。ユーザーは、この提案画面１６０を閲覧することにより、画像１６１〜１６５により示される複数のコーディネートの中から所望のコーディネートを選択することができる。また、図１１に示すように、この提案画面１６０には、各コーディネートの説明情報が記載されている。ユーザーは、この説明情報を閲覧することにより、着物のコーディネートの根拠となる決まりや思想を学ぶことができる。
【００８７】
コーディネートの提案画面１６０が表示された後、ユーザーは、入力デバイス２５を用いて、複数のコーディネートの中から所望のコーディネートを選択する操作を行ってもよい。これにより、依頼情報に含まれる日時に、選択されたコーディネートに含まれる着物及び帯がユーザーにレンタルされる。なお、ユーザーにより選択されたコーディネートは、着物及び帯のレンタルに用いられるだけでなく、例えば着物及び帯の購入に用いられてもよい。
【００８８】
上述した実施形態によれば、スタイリストにより決定されたメインコーディネートに加えて、ユーザーが服装を着用する状況に対応する色又は柄を含むサブコーディネート及び他のコーディネートをユーザーに提案することができる。これにより、ユーザーは、複数のコーディネートの中から所望のコーディネートを選択することができる。また、他のコーディネートは、しきたりや礼法等の決まりや風水や陰陽五行等の思想の観点から決定されるため、ユーザーは、これらの観点から決定されたコーディネートも選択することができる。
【００８９】
また、上述した実施形態によれば、スタイリストは一式のコーディネートを決めるだけでよいため、その手間やコストが抑えられる。さらに、上述した実施形態によれば、各コーディネートとともに、そのコーディネートの説明情報が出力される。これにより、ユーザーは、服装のコーディネートに用いられる決まりや思想を学ぶことができる。
【００９０】
変形例
本発明は上述した実施形態に限定されず、種々の変形がなされてもよい。また、以下の変形例は、上述した各実施形態と組み合わせて実施されてもよいし、他の変形例と組み合わせて実施されてもよい。
【００９１】
変形例１
上述した実施形態において、決定部１１２は、ユーザーが着物を着用する状況に対応する色及び柄以外の特徴を加味して、コーディネートを決定してもよい。例えば、着物及び帯には、その素材や生地の産地に応じて格付けがされている。決定部１１２は、ユーザーが着物を着用する状況に対応する格を決定し、この格に相応しい素材又は生地の産地の着物を用いたコーディネートを決定してもよい。
【００９２】
また、決定部１１２は、ユーザーが着物を着用する場所に対応する生地の産地を加味して、コーディネートを決定してもよい。例えば、ユーザーが着物を着用して栃木県に出かける場合を想定する。栃木県には、生地の産地である結城がある。この場合、生地の産地が結城である着物又は帯を含むコーディネートが決定されてもよい。
【００９３】
変形例２
上述した実施形態において、服装データベース１０２に登録された着物及び帯は、所定の場所に限ってレンタルが許可されてもよい。この場合、服装データベース１０２には、レンタルが許可される場所を示す情報が含まれる。また、上述した依頼情報には、ユーザーが着物をレンタルする場所を示す場所情報が含まれる。
【００９４】
決定部１１２は、服装データベース１０２を参照して、服装データベース１０２に登録された着物及び帯から、ユーザーが着物をレンタルする場所においてレンタルが許可される着物及び帯を抽出する。そして、決定部１１２は、抽出された着物及び帯の中から、コーディネートを決定する。すなわち、決定部１１２は、服装データベース１０２に登録された着物及び帯のうち、抽出されなかった着物及び帯については、コーディネートに使用しない。
【００９５】
変形例３
上述した実施形態において、スタイリストが決定するコーディネートの数は、ユーザーにより変動してもよい。この場合、ユーザーデータベース１０１には、着物に関するユーザーのレベルが含まれる。このレベルが低い程、スタイリストにより決定されるコーディネートの数が増えてもよい。この場合、スタイリストにより決定されるコーディネートの数が増える程、決定部１１２により決定されるコーディネートの数が減ってもよい。反対に、このレベルが高い程、スタイリストにより決定されるコーディネートの数が減ってもよい。この場合、スタイリストにより決定されるコーディネートの数が減る程、決定部１１２により決定されるコーディネートの数が増えてもよい。
【００９６】
他の例において、ユーザーの要求に応じて、スタイリストにより決定されるコーディネートの数が変動してもよい。この場合にも、上述と同様に、スタイリストにより決定されるコーディネートの数に応じて、決定部１１２により決定されるコーディネートの数が変動してもよい。
【００９７】
また、この変形例のように、ユーザーによりスタイリストにより決定されるコーディネートの数が異なる場合には、スタイリストにより決定されるコーディネートの数に応じたコーディネート費用が算出され、算出されたコーディネート費用がユーザーに課金されてもよい。
【００９８】
変形例４
上述した実施形態において、スタイリストは、予め作成されたフォーマットに従って説明情報を生成してもよい。この場合、説明情報は、スタイリストにより一部の情報が入力又は変更されることにより生成されてもよい。他の例において、生成部１１３により生成された説明情報をスタイリストが修正してもよい。
【００９９】
変形例５
上述した実施形態において、サーバー装置１０が全てのコーディネートを決定してもよい。この場合、決定部１１２は、ユーザーにより選択されたスタイリストのコーディネートの傾向、ユーザーの要望、及びユーザーが着物を着用する状況に基づいて、メインコーディネートを決定してもよい。このコーディネートの傾向は、人工知能を用いてスタイリストが行ったコーディネートを解析することにより特定されてもよい。この場合、スタイリストがコーディネートを行う必要はない。
【０１００】
変形例６
上述した実施形態において、コーディネートを構成する服装アイテムは、着物と帯に限定されない。コーディネートには、装身具が含まれてもよい。例えば、着物のコーディネートの場合には、半衿、重ね衿、帯揚げ、帯締め、帯飾り、バック、草履等の付属品が含まれてもよい。
【０１０１】
変形例７
上述したコーディネートシステム１は、洋服のコーディネートに適用されてもよい。すなわち、上述した「服装」という用語の概念には、上述した和服だけではなく、洋服も含まれる。
【０１０２】
変形例８
上述した実施形態において説明したコーディネートシステム１の機能を実装する対象は、例示に過ぎず、これに限定されない。例えば、コーディネートシステム１の機能が一つの装置により実装されてもよい。この場合、出力部１１４は、服装のコーディネートを表示してもよいし、印刷してもよい。すなわち、上述した「出力」という用語の概念には、上述した送信だけではなく、表示や印刷も含まれる。
【０１０３】
変形例９
上述した実施形態において、サーバー装置１０の機能を実現するためのプログラムは、単一のプロセッサー１１により実行されてもよいし、２以上のプロセッサー１１により同時又は逐次に実行されてもよい。同様に、ユーザー端末２０の機能を実現するためのプログラムは、単一のプロセッサー２１により実行されてもよいし、２以上のプロセッサー２１により実行されてもよい。スタイリスト端末３０の機能を実現するためのプログラムは、単一のプロセッサー３１により実行されてもよいし、２以上のプロセッサー３１により実行されてもよい。
【０１０４】
変形例１０
コーディネートシステム１において行われる処理のステップは、上述した実施形態で説明した例に限定されない。この処理のステップは、矛盾のない限り、入れ替えられてもよい。また、本発明は、コーディネートシステム１において行われる処理のステップを備える方法として提供されてもよい。
【０１０５】
変形例１１
本発明は、サーバー装置１０において実行されるプログラム、ユーザー端末２０において実行されるプログラム、及びスタイリスト端末３０において実行されるプログラムとして提供されてもよい。これらのプログラムは、インターネット等のネットワークを介してダウンロードされてもよい。また、これらのプログラムは、磁気記録媒体（磁気テープ、磁気ディスクなど）、光記録媒体（光ディスクなど）、光磁気記録媒体、半導体メモリーなどの、コンピュータが読取可能な記録媒体に記録した状態で提供されてもよい。
【符号の説明】
【０１０６】
１：コーディネートシステム、１０：サーバー装置、２０：ユーザー端末、３０：スタイリスト端末、１１１：取得部、１１２：決定部、１１３：生成部、１１４：出力部、１２１：送信部、１２２：受信部、１２３：表示制御部、１３１：受信部、１３２：表示制御部、１３３：送信部
【図１】
2018106593.tif 000003
【図２】
2018106593.tif 000004
【図３】
2018106593.tif 000005
【図４】
2018106593.tif 000006
【図５】
2018106593.tif 000007
【図６】
2018106593.tif 000008
【図７】
2018106593.tif 000009
【図８】
2018106593.tif 000010
【図９】
2018106593.tif 000011
【図１０】
2018106593.tif 000012
【図１１】
2018106593.tif 000013
【手続補正書】
【提出日】平成29年6月19日(2017.6.19)
【手続補正１】
【補正対象書類名】特許請求の範囲
【補正対象項目名】全文
【補正方法】変更
【補正の内容】
【特許請求の範囲】
【請求項１】
予め定められた複数の服装アイテムの色又は柄を示す特徴情報を記憶する記憶部と、
ユーザーが服装を着用する状況を示す状況情報を取得する取得部と、
前記取得された状況情報により示される前記状況に対応する色又は柄を決定する決定部と、
前記記憶部に記憶された前記特徴情報に基づいて、少なくともその一部に前記決定された色又は柄が含まれるように、前記予め定められた複数の服装アイテムのうち少なくとも２つの服装アイテムを用いて服装の組み合わせを生成する生成部と、
前記生成された服装の組み合わせを含む複数の服装の組み合わせを出力する出力部と
を備えるコーディネートシステム。
【請求項２】
前記取得部は、更に、前記ユーザーにより選択されたスタイリストにより、前記予め定められた複数の服装の中から、前記状況に応じて決定された第１の服装の組み合わせを取得し、
前記生成部は、前記予め定められた複数の服装の中から、前記取得された第１の服装の組み合わせに類似する第２の服装の組み合わせを生成し、
前記出力部は、前記第１の服装の組み合わせと前記第２の服装の組み合わせとを出力する
請求項１に記載のコーディネートシステム。
【請求項３】
前記服装の組み合わせは、和服及び帯を含む
請求項１又は２に記載のコーディネートシステム。
【請求項４】
前記生成部は、前記服装が着用される状況と前記服装の色又は柄との関係を定めた規則に従って、前記服装の組み合わせを生成する
請求項１から３のいずれか１項に記載のコーディネートシステム。
【請求項５】
前記状況情報は、前記ユーザーが前記服装を着用する日を含み、
前記規則は、前記服装が着用される季節と前記服装の色の組み合わせとの関係を定めたものであり、
前記生成部は、前記規則に従って、前記日が属する季節に対応する色の組み合わせを含む服装の組み合わせを生成する
請求項４に記載のコーディネートシステム。
【請求項６】
前記状況情報は、前記ユーザーが前記服装を着用する日又は場所を含み、
前記生成部は、日又は方位と色との関係を定めた規則に従って、前記日又は前記場所に応じた方位に対応する色を含む服装の組み合わせを生成する
請求項１から３のいずれか１項に記載のコーディネートシステム。
【請求項７】
前記生成された服装の組み合わせを説明する説明情報を生成する情報生成部を更に備え、
前記出力部は、前記複数の服装の組み合わせとともに、前記生成された説明情報を出力する
請求項１から６のいずれか１項に記載のコーディネートシステム。
【請求項８】
ユーザーが服装を着用する状況を示す状況情報を取得する取得部と、
予め定められた複数の服装の中から、前記取得された状況情報により示される前記状況に対応する色又は柄を含む服装の組み合わせを決定する決定部と、
前記決定された組み合わせを含む複数の服装の組み合わせを出力する出力部とを備え、
前記取得部は、更に、前記ユーザーにより選択されたスタイリストにより、前記予め定められた複数の服装の中から、前記状況に応じて決定された第１の服装の組み合わせを取得し、
前記決定部は、前記予め定められた複数の服装の中から、前記取得された第１の服装の組み合わせに類似する第２の服装の組み合わせを決定し、
前記出力部は、前記第１の服装の組み合わせと前記第２の服装の組み合わせとを出力する
コーディネートシステム。
【請求項９】
予め定められた複数の服装アイテムの色又は柄を示す特徴情報を記憶する記憶部と、
ユーザーが服装を着用する状況を示す状況情報を取得する取得部と、
前記取得された状況情報により示される前記状況に対応する色又は柄を決定する決定部と、
前記記憶部に記憶された前記特徴情報に基づいて、少なくともその一部に前記決定された色又は柄が含まれるように、前記予め定められた複数の服装アイテムのうち少なくとも２つの服装アイテムを用いて服装の組み合わせを生成する生成部と、
前記生成された服装の組み合わせを含む複数の服装の組み合わせを出力する出力部と
を備えるコーディネート装置。
【請求項１０】
予め定められた複数の服装アイテムの色又は柄を示す特徴情報を記憶する記憶部を備えるコンピュータを、
ユーザーが服装を着用する状況を示す状況情報を取得するステップと、
前記取得された状況情報により示される前記状況に対応する色又は柄を決定するステップと、
前記記憶部に記憶された前記特徴情報に基づいて、少なくともその一部に前記決定された色又は柄が含まれるように、前記予め定められた複数の服装アイテムのうち少なくとも２つの服装アイテムを用いて服装の組み合わせを生成するステップと、
前記生成された服装の組み合わせを含む複数の服装の組み合わせを出力するステップと
して実行させるためのプログラム。